(57)【要約】【課題】フルカラー有機ＬＥＤ表示装置とその製造方法の提供。【解決手段】カラーフィルタの表面に下部電極を設け、下部電極の表面に第一色光を生成する第一有機発光ユニットと第四色光を生成する第四有機発光ユニットをそれぞれ設け、第一有機発光ユニットはカラーフィルタの第一カラーフォトレジストの垂直延伸位置に設け、その第一色光は第一カラーフォトレジストを透過しろ過して第一色光を生成し、第四有機発光ユニットはカラーフィルタの第二カラーフォトレジストおよび第三カラーフォトレジストの垂直延伸位置に設け、その第四色光は第二カラーフォトレジストでろ過し、第二色光を生成し、第三カラーフォトレジストでろ過して、第三色光を生成する。第一色光、第二色光および第三色光を組合せにより、フルカラーの発光機能を実現する。【選択図】図２
2006339135.tif 000002
【特許請求の範囲】
【請求項１】
カラーフィルタであって、基板上表面に少なくともカラーフォトレジスト、第一カラーフォトレジスト、第二カラーフォトレジストおよび第三カラーフォトレジストを設けた、上記カラーフィルタ、
少なくとも一つの下部電極であって、そのカラーフィルタ一部区域の上表面に設ける、上記下部電極、
第一有機発光ユニットであって、その第一カラーフォトレジスト垂直延ばした位置の下部電極の上表面に設け、第一色光を生成する、上記第一有機発光ユニット、
第四有機発光ユニットであって、その第二フォトレジストと第三カラーフォトレジストの垂直延ばした位置の下部電極の上表面に設け、第四色光を生成する、上記第四有機発光ユニット、
少なくとも一つの対向電極であって、第一有機発光ユニットとその第四有機発光ユニットの上表面に設けた、上記対向電極、
を包含したことを特徴とするフルカラー有機ＬＥＤ発光表示装置。
【請求項２】
請求項１記載のフルカラー有機ＬＥＤ表示装置において、そのカラーフィルタの第二カラーフォトレジストは中空部を形成し、そのカラーフィルタは光透過基板であることを特徴とするフルカラー有機ＬＥＤ表示装置。
【請求項３】
請求項１記載のフルカラー有機ＬＥＤ表示装置において、その第四有機発光ユニットは第二有機発光層と第三有機発光層を含む、その第二有機発光層と第三有機発光層は積み上げにより設けることを特徴とするフルカラー有機ＬＥＤ表示装置。
【請求項４】
請求項１記載のフルカラー有機ＬＥＤ表示装置において、その第四有機発光ユニットは第二有機発光材料と第三有機発光材料の混合物によることを特徴とするフルカラー有機ＬＥＤ表示装置。
【請求項５】
フルカラー有機ＬＥＤ表示装置の製造方法において、
少なくとも一つの下部電極をカラーフィルタの上表面に形成し、そのカラーフィルタは基板上表面にに第一カラーフォトレジスト、第二カラーフォトレジストおよび第三カラーフォトレジストを設ける、
第一マスクをそのカラーフィルタの第二カラーフォトレジストと第三カラーフォトレジストの垂直延ばした位置に設ける、
第一蒸着源により、その第一カラーフォトレジスト垂直延ばした位置の下部電極に第一蒸着プロセスを行い、第一色光の第一有機発光ユニットの有機発光層を生成する、
第二マスクをその第一有機発光ユニットの垂直延ばした位置に設け、蒸着源により、その第二カラーフォトレジストとその第三カラーフォトレジストの垂直延ばした位置の下部電極上表面にに第二蒸着プロセスを行い、第四有機発光ユニットの有機発光層を形成し、および、
少なくとも一つの対向電極をその第一有機発光ユニットと第四有機発光ユニットの上表面に設ける、
以上の工程を包含したことを特徴とする、フルカラー有機ＬＥＤ表示装置の製造方法。
【請求項６】
請求項５記載のフルカラー有機ＬＥＤ表示装置の製造方法において、その第四有機発光ユニットの有機発光層の蒸着プロセスを完了してから、その第一有機発光ユニットの有機発光層の蒸着プロセスを行うことを特徴とするフルカラー有機ＬＥＤ表示装置の製造方法。
【請求項７】
請求項５記載のフルカラー有機ＬＥＤ表示装置の製造方法において、その第一有機発光ユニットと第四有機発光ユニットの内部は、少なくとも一つの電子孔注入層、少なくとも一つの電子輸送層、少なくとも一つの電子孔輸送層、少なくとも一つの電子輸送層、少なくとも一つの電子孔注入層とその組合せのいずれを設け、さらに以下の手順を含まれる。下部電極一部分の上表面にその電子孔注入層とその電子孔輸送層を設け、電子孔輸送層の一部分の上表面に第一有機発光ユニットの有機発光層を順番に形成する。電子孔輸送層他部分の上表面に第四有機発光ユニットを形成する有機発光層を形成してから、すべての有機発光層上表面にその電子輸送層と電子注入層を設けることを特徴とするフルカラー有機ＬＥＤ表示装置の製造方法。
【請求項８】
請求項５記載のフルカラー有機ＬＥＤ表示装置の製造方法において、その第四有機発光ユニットの有機発光層は、積み上げにより設ける第二有機発光層と第三有機発光層があることを特徴とするフルカラー有機ＬＥＤ表示装置の製造方法。
【請求項９】
請求項５記載のフルカラー有機ＬＥＤ表示装置の製造方法において、その第二蒸着源は第二有機発光材料と第三有機発光材料を含む、混合蒸着方式によりその第四有機発光ユニットの有機発光層を生成することを特徴とするフルカラー有機ＬＥＤ表示装置の製造方法。
【請求項１０】
請求項５記載のフルカラー有機ＬＥＤ表示装置の製造方法において、そのカラーフィルタの第一カラーフォトレジストは中空部形状であることを特徴とするフルカラー有機ＬＥＤ表示装置の製造方法。
【発明の詳細な説明】
【技術分野】
【０００１】
本発明は有機ＬＥＤ表示装置、特にフルカラー有機LED 表示装置とその製造方法に関わるもので、光源透過率と色飽和度を向上できるほか、電気ロスを低減し、素子寿命を長くすることにより、生産プロセスを簡素化させ、良品率を向上できる。
【背景技術】
【０００２】
多くの表示装置は、フルカラー表示効果を実現する技術は表示装置開発成功の要所である。有機ＬＥＤ表示装置（ＯＬＥＤ）にとって、フルカラー表示機能を実現するため、以下に示す二つの方法がある、
赤（Ｒ）、緑（Ｇ）、青（Ｂ）三原色を生成する有機ＬＥＤ素子をそれぞれ設け、この三つの色を適切な配合比率により、フルカラーの表示効果を実現する。しかし、この種の有機ＬＥＤ表示装置の製造は、各色の有機発光ユニットを作り出すとき、数回の蒸着プロセスが必要ほか、蒸着プロセスにおける位置決め精度の維持が難しいため、良品率が低い割に、生産コストも高い。少なくとも一つの白色光源を発する有機ＬＥＤ表示素子を設け、この白色光源を背面光源とする。さらに高度技術を駆使したカラーフィルタを使用することにより、白色光源を光ろ過した上、フルカラー表示効果を実現する。
【０００３】
通常、カラーフィルタを用いて光ろ過の有機ＬＥＤ発光ユニットは、図１に示すとおり、そのカラーフィルタ１０は光透過基板１１上に黒色マトリックス１３（Ｂｌａｃｋ  Ｍａｔｒｉｘ）を設け、黒色マトリックス４３を設けない基板１１の表面に光透過機能を有するカラーろ光層１５を設ける。このカラーろ光層１５に第一カラーフォトレジスト（Ｒ）１５１、第二カラーフォトレジスト（Ｇ）１５３および第三カラーフォトレジスト（Ｂ）１５５を含む。さらに、後の生産プロセスの円滑化を図るため、黒色マトリックス１３とカラーろ光層１５の上部は選択により保護被膜１７（ｏｖｅｒｃｏａｔ）またはバリア１９を設ける。
【０００４】
有機ＬＥＤ発光素子２０の下部電極２１はバリア１９または保護被膜１７表面に直接設ける。さらに下部電極２１の表面は有機発光ユニット２３と対向電極２５を順番に設け、下部電極２１と対向電極２５の稼動電流により導通され有機発光ユニット２３より白色光源L を出射し、白色光源L はカラーろ光層１５を透過した後、光ろ過を行い、赤（Ｒ）、緑（Ｇ）、青（Ｂ）三原色Ｌl 、Ｌ２、Ｌ３を生成して、組合せにより、有機ＬＥＤ表示装置２００フルカラー表示効果を実現する。
【０００５】
カラーフィルタ１０により、この種のＯＬＥＤ構造は、白色光源を生成する有機発光ユニット２３のみを使用しているため、蒸着プロセスは少なくで済む。よって、有機発光ユニット２３の蒸着回数を有効に減少し、蒸着精度の困難度を軽減できる。しかし、その白色光源Ｌの波長分布が広く、白色光源Ｌはカラーフィルタ１５に対する光源透過率はよくないため、その有機ＬＥＤ表示装置２００の発光度と色飽和度に影響し、発光品質を有効に向上できない。
【発明の開示】
【発明が解決しようとする課題】
【０００６】
本発明の主な目的は、前述公知の技術の問題点を解決するため、新しい有機ＬＥＤ表示装置とその製造方法を開発し、生産プロセスの簡素化および位置決めの困難度を減少し、良品率、光源透過率と色飽和度を向上できるほか、電気ロスを低減し、素子寿命を長くする。
【０００７】
本発明もう目的は、フルカラー有機ＬＥＤ表示装置を提供し、カラーフィルタによる色修飾効果が非常に良いため、光色の調整が容易になり、色彩表現を維持できる、赤、緑、青（ＳＢＳ）三色の発光減衰率の不均衡による色ずれと色飽和度劣る問題点を有効に解決できる。
【０００８】
前述の目的を実現するため、本発明はフルカラー有機ＬＥＤ表示装置を提供し、カラーフィルタ、基板表面に第一カラーフォトレジスト、第二カラーフォトレジストおよび第三カラーフォトレジストを設け、さらに、その表面に保護被膜を設ける。少なくとも一つの下部電極をカラーフィルタの表面に設ける。第一ＬＥＤ発光ユニットを第一カラーフォトレジストの垂直延ばした下部電極の表面に設けて、第一色光を生成する。第四有機発光ユニット、第二カラーフォトレジストと第三カラーフォトレジストの垂直延ばした下部電極の上部表面に設け、第一色光と互いに補償特性の第四色光を生成する。少なくとも一つの対向電極を第一有機発光ユニットと第四有機発光ユニットの上表面に設ける。
【０００９】
前述の目的を実現するため、本発明はさらにフルカラー有機ＬＥＤ表示装置の製造方法を提供し、以下の手順より構成する。少なくとも一つの下部電極カラーフィルタの表面に形成する、
第一マスクをカラーフィルタの第二カラーフォトレジストと第三カラーフォトレジストの垂直延ばした場所に設け、第一蒸着源により、第一カラーフォトレジストの垂直延ばした下部電極の上表面に第一色光を生成する第一有機発光ユニットの有機発光層を蒸着する、
第二マスクを第一有機発光ユニットの垂直延ばした場所に設け、第二蒸着源により、第二カラーフォトレジストと第三カラーフォトレジストの垂直延ばした場所下部電極の上表面に第四色光を生成する第四有機発光ユニットの有機発光層を蒸着する、
第一有機発光ユニットと第四有機発光ユニットの上表面に少なくとも一つの対向電極を設ける。
【課題を解決するための手段】
【００１０】
請求項１の発明は、カラーフィルタであって、基板上表面に少なくともカラーフォトレジスト、第一カラーフォトレジスト、第二カラーフォトレジストおよび第三カラーフォトレジストを設けた、上記カラーフィルタ、
少なくとも一つの下部電極であって、そのカラーフィルタ一部区域の上表面に設ける、上記下部電極、
第一有機発光ユニットであって、その第一カラーフォトレジスト垂直延ばした位置の下部電極の上表面に設け、第一色光を生成する、上記第一有機発光ユニット、
第四有機発光ユニットであって、その第二フォトレジストと第三カラーフォトレジストの垂直延ばした位置の下部電極の上表面に設け、第四色光を生成する、上記第四有機発光ユニット、
少なくとも一つの対向電極であって、第一有機発光ユニットとその第四有機発光ユニットの上表面に設けた、上記対向電極、
を包含したことを特徴とするフルカラー有機ＬＥＤ発光表示装置としている。
請求項２の発明は、請求項１記載のフルカラー有機ＬＥＤ表示装置において、そのカラーフィルタの第二カラーフォトレジストは中空部を形成し、そのカラーフィルタは光透過基板であることを特徴とするフルカラー有機ＬＥＤ表示装置としている。
請求項３の発明は、請求項１記載のフルカラー有機ＬＥＤ表示装置において、その第四有機発光ユニットは第二有機発光層と第三有機発光層を含む、その第二有機発光層と第三有機発光層は積み上げにより設けることを特徴とするフルカラー有機ＬＥＤ表示装置としている。
請求項４の発明は、請求項１記載のフルカラー有機ＬＥＤ表示装置において、その第四有機発光ユニットは第二有機発光材料と第三有機発光材料の混合物によることを特徴とするフルカラー有機ＬＥＤ表示装置としている。
請求項５の発明は、フルカラー有機ＬＥＤ表示装置の製造方法において、
少なくとも一つの下部電極をカラーフィルタの上表面に形成し、そのカラーフィルタは基板上表面に第一カラーフォトレジスト、第二カラーフォトレジストおよび第三カラーフォトレジストを設ける、
第一マスクをそのカラーフィルタの第二カラーフォトレジストと第三カラーフォトレジストの垂直延ばした位置に設ける、
第一蒸着源により、その第一カラーフォトレジスト垂直延ばした位置の下部電極に第一蒸着プロセスを行い、第一色光の第一有機発光ユニットの有機発光層を生成する、
第二マスクをその第一有機発光ユニットの垂直延ばした位置に設け、蒸着源により、その第二カラーフォトレジストとその第三カラーフォトレジストの垂直延ばした位置の下部電極上表面にに第二蒸着プロセスを行い、第四有機発光ユニットの有機発光層を形成し、および、
少なくとも一つの対向電極をその第一有機発光ユニットと第四有機発光ユニットの上表面に設ける、
以上の工程を包含したことを特徴とする、フルカラー有機ＬＥＤ表示装置の製造方法としている。
請求項６の発明は、請求項５記載のフルカラー有機ＬＥＤ表示装置の製造方法において、その第四有機発光ユニットの有機発光層の蒸着プロセスを完了してから、その第一有機発光ユニットの有機発光層の蒸着プロセスを行うことを特徴とするフルカラー有機ＬＥＤ表示装置の製造方法としている。
請求項７の発明は、請求項５記載のフルカラー有機ＬＥＤ表示装置の製造方法において、その第一有機発光ユニットと第四有機発光ユニットの内部は、少なくとも一つの電子孔注入層、少なくとも一つの電子輸送層、少なくとも一つの電子孔輸送層、少なくとも一つの電子輸送層、少なくとも一つの電子孔注入層とその組合せのいずれを設け、さらに以下の手順を含まれる。下部電極一部分の上表面にその電子孔注入層とその電子孔輸送層を設け、電子孔輸送層の一部分の上表面に第一有機発光ユニットの有機発光層を順番に形成する。電子孔輸送層他部分の上表面に第四有機発光ユニットを形成する有機発光層を形成してから、すべての有機発光層上表面にその電子輸送層と電子注入層を設けることを特徴とするフルカラー有機ＬＥＤ表示装置の製造方法としている。
請求項８の発明は、請求項５記載のフルカラー有機ＬＥＤ表示装置の製造方法において、その第四有機発光ユニットの有機発光層は、積み上げにより設ける第二有機発光層と第三有機発光層があることを特徴とするフルカラー有機ＬＥＤ表示装置の製造方法としている。
請求項９の発明は、請求項５記載のフルカラー有機ＬＥＤ表示装置の製造方法において、その第二蒸着源は第二有機発光材料と第三有機発光材料を含む、混合蒸着方式によりその第四有機発光ユニットの有機発光層を生成することを特徴とするフルカラー有機ＬＥＤ表示装置の製造方法としている。
請求項１０の発明は、請求項５記載のフルカラー有機ＬＥＤ表示装置の製造方法において、そのカラーフィルタの第一カラーフォトレジストは中空部形状であることを特徴とするフルカラー有機ＬＥＤ表示装置の製造方法としている。
【発明の効果】
【００１１】
本発明はフルカラー有機ＬＥＤ表示装置とその製造方法を提供し、蒸着回数を減少したプロセスにより、フルカラーの表示効果を実現し、生産プロセスを簡素化でき、蒸着における位置決めの困難度を軽減し、良品率を向上する。
【００１２】
本発明はフルカラー有機ＬＥＤ表示装置を提供し、有機発光ユニットの光源透過率と色飽和度を有効に向上できる。
【００１３】
本発明はフルカラー有機ＬＥＤ表示装置を提供し、生産プロセスを簡素化できるほか、位置決めの困難度を軽減し、有機発光ユニットの光源透過率と色飽和度を有効に向上できるほか、電気ロスを低減し、素子寿命を長くする。
【発明を実施するための最良の形態】
【００１４】
図２は、本発明のフルカラー有機ＬＥＤ表示装置の好ましい実施例の断面図であり、図示のとおり、本発明の有機ＬＥＤ表示装置（ＯＬＥＤ）４００はカラーフィルタ３０の上表面に少なくとも一つの有機ＬＥＤ表示素子（ＯＬＥＤ）４０を設け、このカラーフィルタ３０は光透過基板３１一部分の表面に少なくとも一つの黒色マトリックス（Ｂｌａｃｋ  Ｍａｔｒｉｘ）３３を設け、黒色マトリックス３３基板３１の上表面に光色ろ過機能を設けるカラーろ光層３５、第一カラーフォトレジスト（Ｂ）３５１、第二カラーフォトレジスト（Ｇ）３５３および第三カラーフォトレジスト（Ｒ）３５５を含まれる。さらに、黒色マトリックス３３とカラーろ光層３５の上方に保護被膜３７（ｏｖｅｒｃｏａｔ）、バリア３９（ｂａｒｒｉｅｒ）またはその両者より形成する保護被膜のバリアを設ける。
【００１５】
そのカラーフィルタ３０のバリア３９（または保護被膜３７）上表面一部分の区域に少なくとも一つの有機ＬＥＤ表示素子（ＯＬＥＤ）４０の下部電極４１を設け、その下部電極４１一部分の上表面に有機発光ユニット４３および対向電極４５をそれぞれ設ける。その有機発光ユニット４３は少なくとも一つの有機発光ユニット４３１および少なくとも一つの第四有機発光ユニット４３３を設け、下部電極４１と対向電極４５の間に動作電流を供給する。第四有機発光ユニット４３１はカラーフィルタ３０の第一カラーフォトレジスト３５１の垂直延ばした位置に設ける。第四有機発光ユニット４３３はカラーフィルタ３０の第二カラーフォトレジスト３５３と第三カラーフォトレジスト３５５の垂直延ばした位置に設ける。これにより、第一有機発光ユニット４３１より生成する第一色光Ｌ１は第一カラーフォトレジスト３５１を透過し、ろ過して同じ光色の第一色光Ｌl を生成する。第四有機発光ユニット４３３より生成する第四色光Ｌ４は第二カラーフォトレジスト３５３と第三カラーフォトレジスト３５５をそれぞれ透過し、ろ過により対応の第二色光Ｌ２および第三色光Ｌ３を生成した上、第一色光Ｌl により、第二色光Ｌ２と第三色光Ｌ３を組合せて、フルカラーの表示効果を実現する。
【００１６】
そして、有機発光ユニット４３１より生成する第一色光Ｌl が青色光源のとき、第四有機発光ユニット４３３より生成する第四色光Ｌ４はオレンジ色となる。さらに、その第一カラーフォトレジスト３５１、第二カラーフォトレジスト３５３および第三カラーフォトレジスト３５５はそれぞれ青色フォトレジストＢ（３５１）、緑色フォートレジストＧ（３５３）および赤色フォトレジストＲ（３５５）、または、青色フォトレジストＢ（３５１）、赤色フォトレジストＲ（３５３）と緑色フォートレジストＧ（３５５）となる。また、第一色光Ｌ１（青色光）は第一カラーフォトレジスト（青色フォトレジスト）３５１を透過およびろ過し後、第一色光Ｌ１（青色光）の光色を維持し、第四色光Ｌ４（オレンジ色光）は第二カラーフォトレジスト（緑色フォートレジスト）３５３および第三カラーフォトレジスト（赤色フォトレジスト）３５５を透過およびろ過した後、第二色光Ｌ２（緑色光）および第三色光Ｌ３（赤色光）となる。第一色光Ｌ１（青色光）、第二色光Ｌ２（緑色光）および第三色光Ｌ３（赤色光）互いの補償特性と適切な組合せにより、本発明の有機ＬＥＤ表示装置（ＯＬＥＤ）４００フルカラー表示効果を実現する。
【００１７】
本発明別つの実施例において、その第一有機発光ユニット４３１より生成する第一色光Ｌ１は赤色光源であっても良い。第四有機発光ユニット４３３より生成する第四色光Ｌ４は青色光源で有っても良い。さらに第一カラーフォトレジスト３５１、第二カラーフォトレジスト３５３および第三カラーフォトレジスト３５５はそれぞれに赤色フォトレジスト、緑色フォートレジストと青色フォトレジストか、または赤色フォトレジスト、青色フォトレジストと緑色フォートレジストと組合せることにより、同じく有機ＬＥＤ表示装置（ＯＬＥＤ）４００フルカラー表示効果を実現できる。
【００１８】
カラーろ過層３５は特定波長範囲の光源を通過させる装置、これにより、光色ろ過を実現できる。もし、第一カラーフォトレジスト３５１は波長範囲４００ｎｍ  〜５００ｎｍ光源のみが通過できることは、公知の構造において、白色光源Ｌの背面光源がその第一カラーフォトレジスト３５１を透過した後、第一カラーフォトレジスト３５１は波長４００ｎｍ〜５００ｎｍ範囲外の他の色光源をろ過および阻止され通過できないため、その第一カラーフォトレジスト３５１を通過できる波長４００ｎｍ〜５００ｎｍの範囲に限られ、肉眼で見ることのできる青色光源となる。これにより、光色ろ過の目的を実現する。しかし、光色ろ過のとき、波長が４００ｎｍ〜５００ｎｍ以外の色光源は第一カラーフォトレジスト３５１によって、ろ過および阻止される。よって、第一カラーフォトレジスト３５１は白色光源Ｌにとって、良好な光源透過率を持つことができなく、約２５％しかないため、その光強度は低くなる。
【００１９】
これに対して、もしその第一色光Ｌ１の波長分布範囲は、第一カラーフォトレジスト３５１の光透過許容範囲のとき、その第一カラーフォトレジスト３５１は第一色光Ｌ１にとって、良好な光源透過率を持っていることを意味する。もし、その第一色光Ｌ１の波長分布範囲は４２０ｎｍ〜４７０ｎｍ（青色光源）で、かつ、第一カラーフォトレジスト３５１の光透過の波長範囲は、前述の４００ ｎｍ〜５００ｎｍ（青色フォトレジスト）であれば、ほとんどの第一色光Ｌ１は完全にその第一カラーフォトレジスト３５１を通過できる。本発明実施例において、その光源透過率は８０％に達する。よって、公知技術の白色光源L を背面光源とする有機ＬＥＤ表示装置（ＯＬＥＤ（２００）に対して、本発明はより良い光源透過率と光強度を有する。このため、電気ロスを減少し、素子寿命を向上できる。
【００２０】
もし、第四色光Ｌ４はオレンジ色光源で、これと組み合わせる第二カラーフォトレジスト３５３と第三カラーフォトレジスト３５５はそれぞれ緑色フォートレジストと赤色フォトレジストのとき、その第四色光Ｌ４（オレンジ色光源）は緑色光源と赤色光源を適切な組合せたものである。よって、その第四色光Ｌ４（オレンジ色光源）は第二カラーフォトレジスト（緑色フォートレジスト）３５３と第三カラーフォトレジスト（赤色フォトレジスト）３５５を透過した後、第四色光Ｌ４（オレンジ色光源）の赤色光源と緑色光源をそれぞれにろ過および阻止後、第二色光Ｌ２（緑色光源）と第三色光Ｌ３（赤色光源）を生成する。このとき、第二カラーフォトレジスト３５３と第三カラーフォトレジスト３５５は第四色光Ｌ４にとって、公知の有機ＬＥＤ表示装置（ＯＬＥＤ）（２００）に対して、より良い光源透過率、約４０％以上を有する。
【００２１】
よって、本発明の有機ＬＥＤ表示装置（ＯＬＥＤ）４００を使用することにより、第一色光Ｌ１と第四色光Ｌ４のカラーろ過層の光源透過率を向上でき、その有機ＬＥＤ表示装置（ＯＬＥＤ）４００の光源透過率、光強度、光色飽和度を向上し、電気ロスを減少し、素子の寿命は延長される。
【００２２】
本発明もう実施例において、光透過基板（図示していない）で前述実施例のカラーフィルタ３０に代わることができる。さらに、光透過基板の上表面一部分の区域に第一電極４１を設け、この第一電極４１の上表面一部分の区域に第一有機発光ユニット４３１と第四有機発光ユニット４３３を設けて、それぞれに第一色光Ｌ１と第四色光Ｌ４を形成し、第一色光Ｌ１と第四色光Ｌ４は互いに色光の補償特性を有する。
【００２３】
その第一色光Ｌ１と第四色光Ｌ４は補償色光のため、適切な比率の第一色光Ｌ１と第四色光Ｌ４を組合せることにより、有機ＬＥＤ表示装置（ＯＬＥＤ）４００フルカラー表示効果を実現できる。この有機ＬＥＤ表示装置（ＯＬＥＤ）４００より生成する第一色光Ｌ１と第四色光Ｌ４はカラーフィルタ３０の光色ろ過必要がない。これは、第一色光Ｌ１と第四色光Ｌ４がカラーフィルタ３０を透過するときの輝度減衰の欠点を防止する。
【００２４】
その有機発光ユニット４３は電流信号により導通し、色光源を生成する発光ユニットである。そのうち、有機発光ユニット４３内部に電子孔注入層（ＨＩＬ）、電子孔伝送層（ＨＴＬ）、有機発光層（ＥＭＬ）、電子輸送層（ＥＴＬ）、電子注入層（ＥＩＬ）および組合せ式のいずれを設ける。
【００２５】
図３と図４に示すものは、本発明の好ましい実施例における各生産プロセスの断面概略図である。図示のとおり、本発明の有機ＬＥＤ表示装置（ＯＬＥＤ）４００の作成手順は、その有機ＬＥＤ表示装置（ＯＬＥＤ）４００の下部電極４１に設置完了後、蒸着方式により、下部電極４１の上表面に少なくとも一つの有機発光ユニット４３１と少なくとも一つの第四有機発光ユニット４３３を設ける。
【００２６】
第一有機発光ユニット４３１の有機発光層は、第一マスク４９１により、一部の下部電極４１を遮蔽し仕切っておく、第一マスク４９１に遮蔽されない部分の下部電極４１の上表面に第一蒸着源４７により、第一有機発光ユニット４３１の有機発光層を蒸着する。たとえば、第一マスク４９１をそのまま第二カラーフォトレジスト３５３と第三カラーフォトレジスト３５５の垂直延ばした位置に跨がっておく、第一蒸着源４７により、第一蒸着プロセスを行う。このとき、第一蒸着源４７は第一カラーフォトレジスト３５１の垂直延ばした位置に蒸着を行い、第一カラーフォトレジスト３５１の垂直延ばした位置に、第一有機発光ユニット４３１の有機発光層を形成する。第一蒸着源４７は第一色光Ｌ１を生成する有機発光材料４７１、図３に示すとおり青色光を生成するＴＰＡＮ、ＤＰＡＮ、ＤＰＶＢｉ、ＰＰＤ、ＢａｌｑまたはＤＳＡなどの派生位を選択する。
【００２７】
第一有機発光ユニット４３１の有機発光層を設置完了してから、第二マスク４９３を第一有機発光ユニット４３１の垂直延ばした位置設け、第二蒸着源４７７により、第二蒸着プロセスを行う。このとき、第二カラーフォトレジスト３５３と第三カラーフォトレジスト３５５の垂直延ばした位置は図４に示すとおり、第四有機発光ユニット４３３の有機発光層を形成する。
【００２８】
第四有機発光ユニット４３３は第二カラーフォトレジスト（Ｇ）３５３と第三カラーフォトレジスト（Ｂ）３５５を通過する第四色光Ｌ４たとえばオレンジ色光源を生成する。これにより、第二蒸着源４７７はそのままオレンジ色有機発光材料、ＤＰＰまたは組合せにより、第二有機発光材料４７３と第三有機発光材料４７５、緑色光有機発光材料Ａｌｑ、ＤＰＴ、Ａｌｑ３、Ｃ６などの派生物および赤色光有機発光材料ＤＣＭ- ２、ＤＣＪＴなどの派生物を使用する。
【００２９】
本発明さらに一つ実施例において、第二マスク４９３を第一カラーフォトレジスト３５１の垂直延ばした位置に設けてから、第四有機発光ユニット４３３有機発光層の蒸着を行っても良い。つまり、第四有機発光ユニット４３３の有機発光層を設けてから、第一有機発光ユニット４３１有機発光層を設置してもよい
【００３０】
第一有機発光ユニット４３１の有機発光層と第四有機発光ユニット４３３の有機発光層を蒸着する前に、有機ＬＥＤ表示装置（ＯＬＥＤ）４００の前工程を行っても良い。たとえば、下部電極４１の上表面に電子孔注入層または電子孔輸送層を設け、後の第一有機発光ユニット４３１有機発光層と第四有機発光ユニット４３３有機発光層設置完了してから、有機ＬＥＤ表示装置（ＯＬＥＤ）４００その後の工程を続けることもできる。たとえば、第一有機発光ユニット４３１の有機発光層および第四有機発光ユニット４３３の有機発光層上部に電子輸送層と対向電極４５を設ける。
【００３１】
前述の生産フローにおける有機発光ユニット４３の蒸着回数は、公知技術による赤（Ｒ）、緑（Ｇ）、青（Ｂ）三原色の有機ＬＥＤ発光素子より別々に設けて、有機ＬＥＤ表示装置（ＯＬＥＤ）を形成する方式に対して、その蒸着と位置決めの回数を減少できるほか、フルカラーの表示効果を実現できる。さらに、蒸着回数の減少により、蒸着における位置決め精確性の要求を確実に軽減し、有機ＬＥＤ表示装置（ＯＬＥＤ）４００製品良品率の向上を実現できる。
【００３２】
有機発光ユニット４３内部に電子孔注入層、電子孔輸送層、有機発光層、電子輸送層および電子注入層を含まれた構造に、下部電極４１一部の表面に、前述の有機発光ユニット４３構造を順番に設ける。たとえば、カラーフォトレジスト３５の垂直延ばした位置の下部電極４１上表面に、蒸着により、電子孔注入層、電子孔輸送層を設けてから、第一カラーフォトレジスト３５１の垂直延ばした位置の電子孔輸送層の上表面に蒸着により、第一有機発光ユニット４３１の有機発光層を形成した上、第二カラーフォトレジスト３５３と第三カラーフォトレジスト３５５垂直延ばした位置の電子孔輸送層の上表面に第四有機発光ユニット４３３の有機発光層を形成する。最後に、第一有機発光ユニット４３１の有機発光層と第四有機発光ユニット４３３有機発光層の上表面に蒸着により、電子輸送層と電子注入層を形成して、有機ＬＥＤ表示装置の設置を終了する。
【００３３】
図５に示すものは、本発明さらに一つ実施例の断面概略図である。図示のとおり本発明の有機ＬＥＤ表示装置（ＯＬＥＤ）５００は、カラーフィルタとその上表面に、少なくとも一つの有機ＬＥＤ表示素子（ＯＬＥＤ）４０を設ける。そのうち、カラーフィルタ５０のカラーろ過層５５は少なくとも一つの第二カラーフォトレジスト５５３（緑色フォートレジストなど）および少なくとも一つの第三カラーフォトレジスト５５５（赤色フォトレジストなど）を含まれる。前述の実施例で設置した第一カラーフォトレジスト（３５１）の位置に他のカラーフォトレジストを設けない。このため、自然に中空部５４を形成し、その中空部５４の形成方式は、カラーフィルタ５０を作成するとき、第一カラーフォトレジスト（３５１）を設けない方式を行う。
【００３４】
その有機ＬＥＤ発光素子（ＯＬＥＤ）４０の第一有機発光ユニット４３１より生成する第一色光Ｌ１はそのカラーフィルタ５０の中空部５４、基板か、カラーフィルタ５０の外部に透過する。第四有機発光ユニット４３３より形成する第四色光Ｌ４はカラーろ過層５５の第二カラーフォトレジスト５５３と第三カラーフォトレジスト５５５を透過しろ過後、第二色光Ｌ２（例如緑光）と第三色光Ｌ３（赤色光など）を生成する。この方法も同じく有機ＬＥＤ表示装置（ＯＬＥＤ）裝置５００のフルカラー表示効果を実現できる。その第一色光Ｌ１はそのまま中空部５４よりカラーフィルタ５０の光透過基板５１に透過するため、第一色光Ｌ１の透過率と色飽和度を向上するほか、カラーフィルタ５０の生産プロセスを軽減し生産コストも削減できる。
【００３５】
図６に示すものは、本発明さらに実施例の断面概略図である。図示のとおり、第四有機発光ユニット４３３は少なくとも一つの積み上げにより設ける第二有機発光層４３５と第三有機発光層４３７でもって、前述実施例の様々な有機発光材料の組合せによる同時蒸着方式を取り代わる。
【００３６】
たとえば、第四有機発光ユニット４３３より第四色光Ｌ４をオレンジ色光源を生成する効果を実現するため、その内部の第二有機発光層４３５と第三有機発光層４３７はそれぞれに赤色光と緑色光を出射する有機発光層を選択し、赤色光と緑色光を混合により、オレンジ色光源を生成する。その第四有機発光ユニット４３３内部に電子孔注入層、電子孔輸送層、電子輸送層、または電子注入層を設けても良い。つまり、その積み上げにより設ける第二有機発光層４３５と第三有機発光層４３７の外表面に、電子孔注入層、電子輸送層、電子輸送層または電子注入層をそれぞれ選択により設置できる。
【００３７】
以上に説明したとおり、本発明は有機ＬＥＤ表示装置、特にフルカラー有機ＬＥＤ表示装置とその製造方法に関わるもので、光源透過率と色飽和度を向上できるほか、電気ロスを低減し、素子寿命を長くすることにより、生産プロセスを簡素化させ、良品率を向上できる。
【図面の簡単な説明】
【００３８】
【図１】公知の有機ＬＥＤ表示装置の断面概略図である。
【図２】本発明の有機ＬＥＤ表示装置好ましい実施例の断面概略図である。
【図３】本発明の好ましい実施例における各生産プロセスの断面概略図である。
【図４】本発明の好ましい実施例における各生産プロセスの断面概略図である。
【図５】本発明さらに実施例の断面概略図である。
【図６】本発明さらに実施例の断面概略図である。
【符号の説明】
【００３９】
１０  カラーフィルタ                １１  基板
１３  黒色マトリックス              １５  カラーフィルタ
１５１  第一カラーフォトレジスト    １５３  第二カラーフォトレジスト
１５５  第三カラーフォトレジスト    １７  保護被膜
１９  バリア                        ２０  有機ＬＥＤ  素子
２００  有機ＬＥＤ  表示装置        ２１  下部電極
２３  有機発光ユニット              ２５  対向電極
３０  カラーフィルタ                ３１  光透過基板
３３  黒色マトリックス              ３５  カラーフォトレジスト
３５１  第一カラーフォトレジスト    ３５３  第二カラーフォトレジスト
３５５  第三カラーフォトレジスト    ３７  保護被膜
３９  バリア                        ４０  有機ＬＥＤ素子
４００  有機ＬＥＤ表示装置          ４１  下部電極
４３  有機発光ユニット              ４３１  第一有機発光ユニット
４３３  第四有機発光ユニット        ４３５  第二有機発光層
４３７  第三有機発光層              ４５  対向電極
４７  第一蒸着源                    ４７１  第一有機発光ユニット
４７３  第二有機発光ユニット        ４７５  第三有機発光ユニット
４７７  第二蒸着源                  ４９１  第一マスク
４９３  第二マスク                  ５０  カラーフィルタ
５００  有機ＬＥＤ表示装置          ５１  光透過基板
５４  中空部                        ５５  カラーフォトレジスト
５５３  第二カラーフォトレジスト    ５５５  第三カラーフォトレジスト
【図１】
2006339135.tif 000003
【図２】
2006339135.tif 000004
【図３】
2006339135.tif 000005
【図４】
2006339135.tif 000006
【図５】
2006339135.tif 000007
【図６】
2006339135.tif 000008